(57)【特許請求の範囲】
【請求項１】
脂肪族飽和モノカルボン酸と脂肪族飽和一価アルコールとをエステル化して得られる脂肪族モノカルボン酸エステルであって、
脂肪族モノカルボン酸エステルの分子量が３００以上であり、且つ、脂肪族モノカルボン酸エステルが、
（１）炭素数８〜１４の脂肪族飽和直鎖状モノカルボン酸と炭素数８〜１２の脂肪族飽和分岐鎖状一価アルコールとをエステル化して得られる脂肪族モノカルボン酸エステル、
（２）炭素数８〜１４の脂肪族飽和分岐鎖状モノカルボン酸と炭素数８〜１２の脂肪族飽和分岐鎖状一価アルコールとをエステル化して得られる脂肪族モノカルボン酸エステル、及び、
（３）炭素数８〜１４の脂肪族飽和分岐鎖状モノカルボン酸と炭素数８〜１２の脂肪族飽和直鎖状一価アルコールとをエステル化して得られる脂肪族モノカルボン酸エステルからなる群から選ばれる１種若しくは２種以上の脂肪族モノカルボン酸エステルであり、当該脂肪族モノカルボン酸エステルの含有量が４０〜１００重量％であることを特徴とする軸受用潤滑油。
【請求項２】
更に、二塩基酸エステル及び／又はポリオールエステルを軸受用潤滑油に対し１０〜６０重量％含有することを特徴とする、請求項１に記載の軸受用潤滑油。
【請求項３】
二塩基酸エステルが、アジピン酸ジ（２−エチルヘキシル）、アジピン酸ジイソノニル、アジピン酸ジ（３，５，５−トリメチルヘキシル）、アジピン酸ジイソデシル、アジピン酸ジイソトリデシル、アゼライン酸ジ（２−エチルヘキシル）、アゼライン酸ジイソノニル、アゼライン酸ジ（３，５，５−トリメチルヘキシル）、アゼライン酸ジイソデシル、アゼライン酸ジイソトリデシル、セバシン酸ジ（２−エチルヘキシル）、セバシン酸ジイソノニル、セバシン酸ジ（３，５，５−トリメチルヘキシル）、セバシン酸ジイソデシル、セバシン酸ジイソトリデシルから選ばれる１種若しくは２種以上である請求項２に記載の軸受用潤滑油。
【請求項４】
ポリオールエステルが、ネオペンチルグリコールと炭素数５〜１０の直鎖状脂肪酸とのフルエステルの１種若しくは２種以上である請求項２に記載の軸受用潤滑油。
【発明の詳細な説明】
【０００１】
【発明の属する技術分野】
本発明は、軸受用潤滑油、特に、焼結含油軸受用又は流体軸受用潤滑油に関し、より詳しくは、低粘度で耐熱性に優れる、エステル系焼結含油軸受用又は流体軸受用潤滑油に関するものである。
【０００２】
【従来の技術】
従来から焼結含油軸受は、自動車（電装部品）、家電製品（エアコン、冷蔵庫など）、音響機器（ＣＤプレーヤー、ＭＤプレーヤーなど）等の各種モーターに使用されているが、近年では、コンピューター（記憶装置用モーター）、携帯電話（振動モーター）の急速な普及によりその需要が高まっている。又、広範囲の回転数で低振動化させるために、流体軸受の実用化も考えられている。更に最近では、機器の小型化、モーターの回転の高速化に伴い軸受に対する負荷が益々大きくなっている。これに対し、軸受材の改良が求められるとともに、使用する潤滑油に対してもより高い性能が求められている。
【０００３】
焼結含油軸受用又は流体軸受用の潤滑油に求められる性能としては、耐熱性（耐酸化安定性、耐揮発性、粘度変化が小さいこと）に優れること、広い温度範囲で使用できること、潤滑性に優れること、軸受材に対する影響のないこと等が挙げられる。中でも、軸受に対する負荷増大による温度の上昇が大きい点で、耐熱性が非常に重要視されている。
【０００４】
これまで焼結含油軸受用又は流体軸受用潤滑油としては、ポリ−α−オレフィンなどの合成炭化水素油、ジエステル、ポリオールエステルなどのエステル油を用いた潤滑油が優れた性能を有することが開示されている（特開平７−５３９８４号、特開平９−１２５０８６号、特開平１１−１７２２６７号など）。しかしながら、これらの潤滑油は使用条件の苛酷化に対して十分に耐えうるものではなく、更に高い性能を有する潤滑油が要望されている。
【０００５】
また一方で、地球温暖化の原因である二酸化炭素の放出を抑制するため、消費電力の低減が叫ばれている。そのため摩擦によるエネルギー損失を低減するために、軸受用潤滑油も広い温度範囲で粘度が低く、摩擦抵抗の少ない油が必要となっている。しかしながら、一般に潤滑油の粘度が低くなると耐熱性、特に耐揮発性において劣るようになるため、省エネルギーに適した焼結含油軸受用又は流体軸受用潤滑油の提供には至っていない。
【０００６】
【発明が解決しようとする課題】
このような状況の中で、本発明は、低粘度であり、耐熱性、潤滑性、かつ低温流動性に優れた焼結含油軸受用又は流体軸受用潤滑油を提供することを目的とする。
【０００７】
【課題を解決するための手段】
本発明者らは、上記課題を達成すべく鋭意検討の結果、特定のエステルを含有する軸受用潤滑油が、低粘度であり、且つ、耐熱性にも優れており、焼結含油軸受用又は流体軸受用の潤滑油として優れた性能を有していることを見いだし、かかる知見に基づいて本発明を完成するに至った。
【０００８】
即ち、本発明に係る軸受用潤滑油は、炭素数７〜１６の脂肪族飽和モノカルボン酸と炭素数８〜１６の脂肪族飽和一価アルコールから得られる脂肪族モノカルボン酸エステルを含有することを特徴とする。
【０００９】
また、本発明の軸受用潤滑油は、更に二塩基酸エステル及び／又はポリオールエステルを、軸受用潤滑油に対し１０〜６０重量％含有することを特徴とする。
【００１０】
【発明の実施の形態】
本発明の軸受用潤滑油に係る脂肪族モノカルボン酸エステル（以下、本エステルという。）は、所定の酸成分とアルコール成分とを常法に従って、好ましくは窒素等の不活性ガス雰囲気下、エステル化触媒の存在下又は無触媒下で加熱撹拌しながら完全にエステル化することにより調製されるエステル化合物である。
【００１１】
本エステルの酸成分は、炭素数７〜１６の脂肪族飽和モノカルボン酸であり、直鎖状であっても分岐鎖状であってもよい。具体的には、ｎ−ヘプタン酸、ｎ−オクタン酸、ｎ−ノナン酸、ｎ−デカン酸、ｎ−ウンデカン酸、ｎ−ドデカン酸、ｎ−トリデカン酸、ｎ−テトラデカン酸、ｎ−ペンタデカン酸、ｎ−ヘキサデカン酸、イソヘプタン酸、イソオクタン酸、２−エチルヘキサン酸、イソノナン酸、３，５，５−トリメチルヘキサン酸、イソデカン酸、イソウンデカン酸、イソドデカン酸、イソトリデカン酸、イソテトラデカン酸、イソペンタデカン酸、イソヘキサデカン酸などが例示される。
【００１２】
これらの中でも、耐熱性及び潤滑性に優れる点で、炭素数８〜１４の脂肪族飽和直鎖状モノカルボン酸若しくは脂肪族飽和分岐鎖状モノカルボン酸が好ましく、具体的には、ｎ−オクタン酸、ｎ−ノナン酸、ｎ−デカン酸、ｎ−ウンデカン酸、ｎ−ドデカン酸、ｎ−トリデカン酸、ｎ−テトラデカン酸、イソオクタン酸、２−エチルヘキサン酸、イソノナン酸、３，５，５−トリメチルヘキサン酸、イソデカン酸、イソウンデカン酸、イソドデカン酸、イソトリデカン酸、イソテトラデカン酸が推奨される。
【００１３】
本エステルのアルコール成分は、炭素数８〜１６の脂肪族飽和一価アルコールであり、直鎖状であっても分岐鎖状であってもよい。具体的には、ｎ−オクタノール、ｎ−ノナノール、ｎ−デカノール、ｎ−ウンデカノール、ｎ−ドデカノール、ｎ−トリデカノール、ｎ−テトラデカノール、ｎ−ペンタデカノール、ｎ−ヘキサデカノール、イソオクタノール、２−エチルヘキサノール、イソノナノール、３，５，５−トリメチルヘキサノール、イソデカノール、イソウンデカノール、イソドデカノール、イソトリデカノール、イソテトラデカノール、イソペンタデカノール、イソヘキサデカノールなどが例示される。
【００１４】
これらの中でも、耐熱性及び潤滑性に優れる点で、炭素数８〜１２の脂肪族飽和直鎖状一価アルコール若しくは脂肪族飽和分岐鎖状一価アルコールが好ましく、具体的にはｎ−オクタノール、ｎ−ノナノール、ｎ−デカノール、ｎ−ウンデカノール、ｎ−ドデカノール、イソオクタノール、２−エチルヘキサノール、イソノナノール、３，５，５−トリメチルヘキサノール、イソデカノール、イソウンデカノール、イソドデカノールが推奨される。
【００１５】
エステル化反応を行うに際し、アルコール成分は、例えば、酸成分１モルに対して１．０〜１．５モル、好ましくは１．０５〜１．２モル程度用いられる。
【００１６】
エステル化触媒としては、ルイス酸類、アルカリ金属類、スルホン酸類等が例示され、具体的にルイス酸としてはアルミニウム誘導体、錫誘導体、チタン誘導体が例示され、アルカリ金属類としてはナトリウムアルコキシド、カリウムアルコキシド等が例示され、更にスルホン酸類としてはパラトルエンスルホン酸、メタンスルホン酸、硫酸等が例示される。その使用量は、例えば原料である酸及びアルコールの総重量に対して０．１〜１．０重量％程度用いられる。
【００１７】
エステル化温度としては、１５０〜２３０℃が例示され、通常、３〜３０時間で反応は完結する。
【００１８】
エステル化反応終了後、過剰の原料を減圧下または常圧下にて留去する。引き続き、慣用の精製方法、例えば、中和、水洗、液液抽出、減圧蒸留、活性炭処理等の吸着精製等によりエステルを精製することが可能である。
【００１９】
本エステルとして具体的には下記のエステルが例示される。
【００２０】
酸成分としてｎ−ヘプタン酸を用いた本エステルとしては、ｎ−ヘプタン酸ｎ−オクチル、ｎ−ヘプタン酸ｎ−ノニル、ｎ−ヘプタン酸ｎ−デシル、ｎ−ヘプタン酸ｎ−ウンデシル、ｎ−ヘプタン酸ｎ−ドデシル、ｎ−ヘプタン酸ｎ−トリデシル、ｎ−ヘプタン酸ｎ−テトラデシル、ｎ−ヘプタン酸ｎ−ペンタデシル、ｎ−ヘプタン酸ｎ−ヘキサデシル、ｎ−ヘプタン酸イソオクチル、ｎ−ヘプタン酸２−エチルヘキシル、ｎ−ヘプタン酸イソノニル、ｎ−ヘプタン酸３，５，５−トリメチルヘキシル、ｎ−ヘプタン酸イソデシル、ｎ−ヘプタン酸イソウンデシル、ｎ−ヘプタン酸イソドデシル、ｎ−ヘプタン酸イソトリデシル、ｎ−ヘプタン酸イソテトラデシル、ｎ−ヘプタン酸イソペンタデシル、ｎ−ヘプタン酸イソヘキサデシルが例示される。
【００２１】
酸成分としてｎ−オクタン酸を用いた本エステルとしては、ｎ−オクタン酸ｎ−オクチル、ｎ−オクタン酸ｎ−ノニル、ｎ−オクタン酸ｎ−デシル、ｎ−オクタン酸ｎ−ウンデシル、ｎ−オクタン酸ｎ−ドデシル、ｎ−オクタン酸ｎ−トリデシル、ｎ−オクタン酸ｎ−テトラデシル、ｎ−オクタン酸ｎ−ペンタデシル、ｎ−オクタン酸ｎ−ヘキサデシル、ｎ−オクタン酸イソオクチル、ｎ−オクタン酸２−エチルヘキシル、ｎ−オクタン酸イソノニル、ｎ−オクタン酸３，５，５−トリメチルヘキシル、ｎ−オクタン酸イソデシル、ｎ−オクタン酸イソウンデシル、ｎ−オクタン酸イソドデシル、ｎ−オクタン酸イソトリデシル、ｎ−オクタン酸イソテトラデシル、ｎ−オクタン酸イソペンタデシル、ｎ−オクタン酸イソヘキサデシルが例示される。
【００２２】
酸成分としてｎ−ノナン酸を用いた本エステルとしては、ｎ−ノナン酸ｎ−オクチル、ｎ−ノナン酸ｎ−ノニル、ｎ−ノナン酸ｎ−デシル、ｎ−ノナン酸ｎ−ウンデシル、ｎ−ノナン酸ｎ−ドデシル、ｎ−ノナン酸ｎ−トリデシル、ｎ−ノナン酸ｎ−テトラデシル、ｎ−ノナン酸ｎ−ペンタデシル、ｎ−ノナン酸ｎ−ヘキサデシル、ｎ−ノナン酸イソオクチル、ｎ−ノナン酸２−エチルヘキシル、ｎ−ノナン酸イソノニル、ｎ−ノナン酸３，５，５−トリメチルヘキシル、ｎ−ノナン酸イソデシル、ｎ−ノナン酸イソウンデシル、ｎ−ノナン酸イソドデシル、ｎ−ノナン酸イソトリデシル、ｎ−ノナン酸イソテトラデシル、ｎ−ノナン酸イソペンタデシル、ｎ−ノナン酸イソヘキサデシルが例示される。
【００２３】
酸成分としてｎ−デカン酸を用いた本エステルとしては、ｎ−デカン酸ｎ−オクチル、ｎ−デカン酸ｎ−ノニル、ｎ−デカン酸ｎ−デシル、ｎ−デカン酸ｎ−ウンデシル、ｎ−デカン酸ｎ−ドデシル、ｎ−デカン酸ｎ−トリデシル、ｎ−デカン酸ｎ−テトラデシル、ｎ−デカン酸ｎ−ペンタデシル、ｎ−デカン酸ｎ−ヘキサデシル、ｎ−デカン酸イソオクチル、ｎ−デカン酸２−エチルヘキシル、ｎ−デカン酸イソノニル、ｎ−デカン酸３，５，５−トリメチルヘキシル、ｎ−デカン酸イソデシル、ｎ−デカン酸イソウンデシル、ｎ−デカン酸イソドデシル、ｎ−デカン酸イソトリデシル、ｎ−デカン酸イソテトラデシル、ｎ−デカン酸イソペンタデシル、ｎ−デカン酸イソヘキサデシルが例示される。
【００２４】
酸成分としてｎ−ウンデカン酸を用いた本エステルとしては、ｎ−ウンデカン酸ｎ−オクチル、ｎ−ウンデカン酸ｎ−ノニル、ｎ−ウンデカン酸ｎ−デシル、ｎ−ウンデカン酸ｎ−ウンデシル、ｎ−ウンデカン酸ｎ−ドデシル、ｎ−ウンデカン酸ｎ−トリデシル、ｎ−ウンデカン酸ｎ−テトラデシル、ｎ−ウンデカン酸ｎ−ペンタデシル、ｎ−ウンデカン酸ｎ−ヘキサデシル、ｎ−ウンデカン酸イソオクチル、ｎ−ウンデカン酸２−エチルヘキシル、ｎ−ウンデカン酸イソノニル、ｎ−ウンデカン酸３，５，５−トリメチルヘキシル、ｎ−ウンデカン酸イソデシル、ｎ−ウンデカン酸イソウンデシル、ｎ−ウンデカン酸イソドデシル、ｎ−ウンデカン酸イソトリデシル、ｎ−ウンデカン酸イソテトラデシル、ｎ−ウンデカン酸イソペンタデシル、ｎ−ウンデカン酸イソヘキサデシルが例示される。
【００２５】
酸成分としてｎ−ドデカン酸を用いた本エステルとしては、ｎ−ドデカン酸ｎ−オクチル、ｎ−ドデカン酸ｎ−ノニル、ｎ−ドデカン酸ｎ−デシル、ｎ−ドデカン酸ｎ−ウンデシル、ｎ−ドデカン酸ｎ−ドデシル、ｎ−ドデカン酸ｎ−トリデシル、ｎ−ドデカン酸ｎ−テトラデシル、ｎ−ドデカン酸ｎ−ペンタデシル、ｎ−ドデカン酸ｎ−ヘキサデシル、ｎ−ドデカン酸イソオクチル、ｎ−ドデカン酸２−エチルヘキシル、ｎ−ドデカン酸イソノニル、ｎ−ドデカン酸３，５，５−トリメチルヘキシル、ｎ−ドデカン酸イソデシル、ｎ−ドデカン酸イソウンデシル、ｎ−ドデカン酸イソドデシル、ｎ−ドデカン酸イソトリデシル、ｎ−ドデカン酸イソテトラデシル、ｎ−ドデカン酸イソペンタデシル、ｎ−ドデカン酸イソヘキサデシルが例示される。
【００２６】
酸成分としてｎ−トリデカン酸を用いた本エステルとしては、ｎ−トリデカン酸ｎ−オクチル、ｎ−トリデカン酸ｎ−ノニル、ｎ−トリデカン酸ｎ−デシル、ｎ−トリデカン酸ｎ−ウンデシル、ｎ−トリデカン酸ｎ−ドデシル、ｎ−トリデカン酸ｎ−トリデシル、ｎ−トリデカン酸ｎ−テトラデシル、ｎ−トリデカン酸ｎ−ペンタデシル、ｎ−トリデカン酸ｎ−ヘキサデシル、ｎ−トリデカン酸イソオクチル、ｎ−トリデカン酸２−エチルヘキシル、ｎ−トリデカン酸イソノニル、ｎ−トリデカン酸３，５，５−トリメチルヘキシル、ｎ−トリデカン酸イソデシル、ｎ−トリデカン酸イソウンデシル、ｎ−トリデカン酸イソドデシル、ｎ−トリデカン酸イソトリデシル、ｎ−トリデカン酸イソテトラデシル、ｎ−トリデカン酸イソペンタデシル、ｎ−トリデカン酸イソヘキサデシルが例示される。
【００２７】
酸成分としてｎ−テトラデカン酸を用いた本エステルとしては、ｎ−テトラデカン酸ｎ−オクチル、ｎ−テトラデカン酸ｎ−ノニル、ｎ−テトラデカン酸ｎ−デシル、ｎ−テトラデカン酸ｎ−ウンデシル、ｎ−テトラデカン酸ｎ−ドデシル、ｎ−テトラデカン酸ｎ−トリデシル、ｎ−テトラデカン酸ｎ−テトラデシル、ｎ−テトラデカン酸ｎ−ペンタデシル、ｎ−テトラデカン酸ｎ−ヘキサデシル、ｎ−テトラデカン酸イソオクチル、ｎ−テトラデカン酸２−エチルヘキシル、ｎ−テトラデカン酸イソノニル、ｎ−テトラデカン酸３，５，５−トリメチルヘキシル、ｎ−テトラデカン酸イソデシル、ｎ−テトラデカン酸イソウンデシル、ｎ−テトラデカン酸イソドデシル、ｎ−テトラデカン酸イソトリデシル、ｎ−テトラデカン酸イソテトラデシル、ｎ−テトラデカン酸イソペンタデシル、ｎ−テトラデカン酸イソヘキサデシルが例示される。
【００２８】
酸成分としてｎ−ペンタデカン酸を用いた本エステルとしては、ｎ−ペンタデカン酸ｎ−オクチル、ｎ−ペンタデカン酸ｎ−ノニル、ｎ−ペンタデカン酸ｎ−デシル、ｎ−ペンタデカン酸ｎ−ウンデシル、ｎ−ペンタデカン酸ｎ−ドデシル、ｎ−ペンタデカン酸ｎ−トリデシル、ｎ−ペンタデカン酸ｎ−テトラデシル、ｎ−ペンタデカン酸ｎ−ペンタデシル、ｎ−ペンタデカン酸ｎ−ヘキサデシル、ｎ−ペンタデカン酸イソオクチル、ｎ−ペンタデカン酸２−エチルヘキシル、ｎ−ペンタデカン酸イソノニル、ｎ−ペンタデカン酸３，５，５−トリメチルヘキシル、ｎ−ペンタデカン酸イソデシル、ｎ−ペンタデカン酸イソウンデシル、ｎ−ペンタデカン酸イソドデシル、ｎ−ペンタデカン酸イソトリデシル、ｎ−ペンタデカン酸イソテトラデシル、ｎ−ペンタデカン酸イソペンタデシル、ｎ−ペンタデカン酸イソヘキサデシルが例示される。
【００２９】
酸成分としてｎ−ヘキサデカン酸を用いた本エステルとしては、ｎ−ヘキサデカン酸ｎ−オクチル、ｎ−ヘキサデカン酸ｎ−ノニル、ｎ−ヘキサデカン酸ｎ−デシル、ｎ−ヘキサデカン酸ｎ−ウンデシル、ｎ−ヘキサデカン酸ｎ−ドデシル、ｎ−ヘキサデカン酸ｎ−トリデシル、ｎ−ヘキサデカン酸ｎ−テトラデシル、ｎ−ヘキサデカン酸ｎ−ペンタデシル、ｎ−ヘキサデカン酸ｎ−ヘキサデシル、ｎ−ヘキサデカン酸イソオクチル、ｎ−ヘキサデカン酸２−エチルヘキシル、ｎ−ヘキサデカン酸イソノニル、ｎ−ヘキサデカン酸３，５，５−トリメチルヘキシル、ｎ−ヘキサデカン酸イソデシル、ｎ−ヘキサデカン酸イソウンデシル、ｎ−ヘキサデカン酸イソドデシル、ｎ−ヘキサデカン酸イソトリデシル、ｎ−ヘキサデカン酸イソテトラデシル、ｎ−ヘキサデカン酸イソペンタデシル、ｎ−ヘキサデカン酸イソヘキサデシルが例示される。
【００３０】
酸成分としてイソヘプタン酸を用いた本エステルとしては、イソヘプタン酸ｎ−オクチル、イソヘプタン酸ｎ−ノニル、イソヘプタン酸ｎ−デシル、イソヘプタン酸ｎ−ウンデシル、イソヘプタン酸ｎ−ドデシル、イソヘプタン酸ｎ−トリデシル、イソヘプタン酸ｎ−テトラデシル、イソヘプタン酸ｎ−ペンタデシル、イソヘプタン酸ｎ−ヘキサデシル、イソヘプタン酸イソオクチル、イソヘプタン酸２−エチルヘキシル、イソヘプタン酸イソノニル、イソヘプタン酸３，５，５−トリメチルヘキシル、イソヘプタン酸イソデシル、イソヘプタン酸イソウンデシル、イソヘプタン酸イソドデシル、イソヘプタン酸イソトリデシル、イソヘプタン酸イソテトラデシル、イソヘプタン酸イソペンタデシル、イソヘプタン酸イソヘキサデシルが例示される。
【００３１】
酸成分としてイソオクタン酸を用いた本エステルとしては、イソオクタン酸ｎ−オクチル、イソオクタン酸ｎ−ノニル、イソオクタン酸ｎ−デシル、イソオクタン酸ｎ−ウンデシル、イソオクタン酸ｎ−ドデシル、イソオクタン酸ｎ−トリデシル、イソオクタン酸ｎ−テトラデシル、イソオクタン酸ｎ−ペンタデシル、イソオクタン酸ｎ−ヘキサデシル、イソオクタン酸イソオクチル、イソオクタン酸２−エチルヘキシル、イソオクタン酸イソノニル、イソオクタン酸３，５，５−トリメチルヘキシル、イソオクタン酸イソデシル、イソオクタン酸イソウンデシル、イソオクタン酸イソドデシル、イソオクタン酸イソトリデシル、イソオクタン酸イソテトラデシル、イソオクタン酸イソペンタデシル、イソオクタン酸イソヘキサデシルが例示される。
【００３２】
酸成分として２−エチルヘキサン酸を用いた本エステルとしては、２−エチルヘキサン酸ｎ−オクチル、２−エチルヘキサン酸ｎ−ノニル、２−エチルヘキサン酸ｎ−デシル、２−エチルヘキサン酸ｎ−ウンデシル、２−エチルヘキサン酸ｎ−ドデシル、２−エチルヘキサン酸ｎ−トリデシル、２−エチルヘキサン酸ｎ−テトラデシル、２−エチルヘキサン酸ｎ−ペンタデシル、２−エチルヘキサン酸ｎ−ヘキサデシル、２−エチルヘキサン酸イソオクチル、２−エチルヘキサン酸２−エチルヘキシル、２−エチルヘキサン酸イソノニル、２−エチルヘキサン酸３，５，５−トリメチルヘキシル、２−エチルヘキサン酸イソデシル、２−エチルヘキサン酸イソウンデシル、２−エチルヘキサン酸イソドデシル、２−エチルヘキサン酸イソトリデシル、２−エチルヘキサン酸イソテトラデシル、２−エチルヘキサン酸イソペンタデシル、２−エチルヘキサン酸イソヘキサデシルが例示される。
【００３３】
酸成分としてイソノナン酸を用いた本エステルとしては、イソノナン酸ｎ−オクチル、イソノナン酸ｎ−ノニル、イソノナン酸ｎ−デシル、イソノナン酸ｎ−ウンデシル、イソノナン酸ｎ−ドデシル、イソノナン酸ｎ−トリデシル、イソノナン酸ｎ−テトラデシル、イソノナン酸ｎ−ペンタデシル、イソノナン酸ｎ−ヘキサデシル、イソノナン酸イソオクチル、イソノナン酸２−エチルヘキシル、イソノナン酸イソノニル、イソノナン酸３，５，５−トリメチルヘキシル、イソノナン酸イソデシル、イソノナン酸イソウンデシル、イソノナン酸イソドデシル、イソノナン酸イソトリデシル、イソノナン酸イソテトラデシル、イソノナン酸イソペンタデシル、イソノナン酸イソヘキサデシルが例示される。
【００３４】
酸成分として３，５，５−トリメチルヘキサン酸を用いた本エステルとしては、３，５，５−トリメチルヘキサン酸ｎ−オクチル、３，５，５−トリメチルヘキサン酸ｎ−ノニル、３，５，５−トリメチルヘキサン酸ｎ−デシル、３，５，５−トリメチルヘキサン酸ｎ−ウンデシル、３，５，５−トリメチルヘキサン酸ｎ−ドデシル、３，５，５−トリメチルヘキサン酸ｎ−トリデシル、３，５，５−トリメチルヘキサン酸ｎ−テトラデシル、３，５，５−トリメチルヘキサン酸ｎ−ペンタデシル、３，５，５−トリメチルヘキサン酸ｎ−ヘキサデシル、３，５，５−トリメチルヘキサン酸イソオクチル、３，５，５−トリメチルヘキサン酸２−エチルヘキシル、３，５，５−トリメチルヘキサン酸イソノニル、３，５，５−トリメチルヘキサン酸３，５，５−トリメチルヘキシル、３，５，５−トリメチルヘキサン酸イソデシル、３，５，５−トリメチルヘキサン酸イソウンデシル、３，５，５−トリメチルヘキサン酸イソドデシル、３，５，５−トリメチルヘキサン酸イソトリデシル、３，５，５−トリメチルヘキサン酸イソテトラデシル、３，５，５−トリメチルヘキサン酸イソペンタデシル、３，５，５−トリメチルヘキサン酸イソヘキサデシルが例示される。
【００３５】
酸成分としてイソデカン酸を用いた本エステルとしては、イソデカン酸ｎ−オクチル、イソデカン酸ｎ−ノニル、イソデカン酸ｎ−デシル、イソデカン酸ｎ−ウンデシル、イソデカン酸ｎ−ドデシル、イソデカン酸ｎ−トリデシル、イソデカン酸ｎ−テトラデシル、イソデカン酸ｎ−ペンタデシル、イソデカン酸ｎ−ヘキサデシル、イソデカン酸イソオクチル、イソデカン酸２−エチルヘキシル、イソデカン酸イソノニル、イソデカン酸３，５，５−トリメチルヘキシル、イソデカン酸イソデシル、イソデカン酸イソウンデシル、イソデカン酸イソドデシル、イソデカン酸イソトリデシル、イソデカン酸イソテトラデシル、イソデカン酸イソペンタデシル、イソデカン酸イソヘキサデシルが例示される。
【００３６】
酸成分としてイソウンデカン酸を用いた本エステルとしては、イソウンデカン酸ｎ−オクチル、イソウンデカン酸ｎ−ノニル、イソウンデカン酸ｎ−デシル、イソウンデカン酸ｎ−ウンデシル、イソウンデカン酸ｎ−ドデシル、イソウンデカン酸ｎ−トリデシル、イソウンデカン酸ｎ−テトラデシル、イソウンデカン酸ｎ−ペンタデシル、イソウンデカン酸ｎ−ヘキサデシル、イソウンデカン酸イソオクチル、イソウンデカン酸２−エチルヘキシル、イソウンデカン酸イソノニル、イソウンデカン酸３，５，５−トリメチルヘキシル、イソウンデカン酸イソデシル、イソウンデカン酸イソウンデシル、イソウンデカン酸イソドデシル、イソウンデカン酸イソトリデシル、イソウンデカン酸イソテトラデシル、イソウンデカン酸イソペンタデシル、イソウンデカン酸イソヘキサデシルが例示される。
【００３７】
酸成分としてイソドデカン酸を用いた本エステルとしては、イソドデカン酸ｎ−オクチル、イソドデカン酸ｎ−ノニル、イソドデカン酸ｎ−デシル、イソドデカン酸ｎ−ウンデシル、イソドデカン酸ｎ−ドデシル、イソドデカン酸ｎ−トリデシル、イソドデカン酸ｎ−テトラデシル、イソドデカン酸ｎ−ペンタデシル、イソドデカン酸ｎ−ヘキサデシル、イソドデカン酸イソオクチル、イソドデカン酸２−エチルヘキシル、イソドデカン酸イソノニル、イソドデカン酸３，５，５−トリメチルヘキシル、イソドデカン酸イソデシル、イソドデカン酸イソウンデシル、イソドデカン酸イソドデシル、イソドデカン酸イソトリデシル、イソドデカン酸イソテトラデシル、イソドデカン酸イソテトラデシル、イソドデカン酸イソペンタデシル、イソドデカン酸イソヘキサデシルが例示される。
【００３８】
酸成分としてイソトリデカン酸を用いた本エステルとしては、イソトリデカン酸ｎ−オクチル、イソトリデカン酸ｎ−ノニル、イソトリデカン酸ｎ−デシル、イソトリデカン酸ｎ−ウンデシル、イソトリデカン酸ｎ−ドデシル、イソトリデカン酸ｎ−トリデシル、イソトリデカン酸ｎ−テトラデシル、イソトリデカン酸ｎ−テトラデシル、イソトリデカン酸ｎ−ペンタデシル、イソトリデカン酸ｎ−ヘキサデシル、イソトリデカン酸イソオクチル、イソトリデカン酸２−エチルヘキシル、イソトリデカン酸イソノニル、イソトリデカン酸３，５，５−トリメチルヘキシル、イソトリデカン酸イソデシル、イソトリデカン酸イソウンデシル、イソトリデカン酸イソドデシル、イソトリデカン酸イソトリデシル、イソトリデカン酸イソテトラデシル、イソトリデカン酸イソペンタデシル、イソトリデカン酸イソヘキサデシルが例示される。
【００３９】
酸成分としてイソテトラデカン酸を用いた本エステルとしては、イソテトラデカン酸ｎ−オクチル、イソテトラデカン酸ｎ−ノニル、イソテトラデカン酸ｎ−デシル、イソテトラデカン酸ｎ−ウンデシル、イソテトラデカン酸ｎ−ドデシル、イソテトラデカン酸ｎ−トリデシル、イソテトラデカン酸ｎ−テトラデシル、イソテトラデカン酸ｎ−ペンタデシル、イソテトラデカン酸ｎ−ヘキサデシル、イソテトラデカン酸イソオクチル、イソテトラデカン酸２−エチルヘキシル、イソテトラデカン酸イソノニル、イソテトラデカン酸３，５，５−トリメチルヘキシル、イソテトラデカン酸イソデシル、イソテトラデカン酸イソウンデシル、イソテトラデカン酸イソドデシル、イソテトラデカン酸イソトリデシル、イソテトラデカン酸イソテトラデシル、イソテトラデカン酸イソペンタデシル、イソテトラデカン酸イソヘキサデシルが例示される。
【００４０】
酸成分としてイソペンタデカン酸を用いた本エステルとしては、イソペンタデカン酸ｎ−オクチル、イソペンタデカン酸ｎ−ノニル、イソペンタデカン酸ｎ−デシル、イソペンタデカン酸ｎ−ウンデシル、イソペンタデカン酸ｎ−ドデシル、イソペンタデカン酸ｎ−トリデシル、イソペンタデカン酸ｎ−テトラデシル、イソペンタデカン酸ｎ−ペンタデシル、イソペンタデカン酸ｎ−ヘキサデシル、イソペンタデカン酸イソオクチル、イソペンタデカン酸２−エチルヘキシル、イソペンタデカン酸イソノニル、イソペンタデカン酸３，５，５−トリメチルヘキシル、イソペンタデカン酸イソデシル、イソペンタデカン酸イソウンデシル、イソペンタデカン酸イソドデシル、イソペンタデカン酸イソトリデシル、イソペンタデカン酸イソテトラデシル、イソペンタデカン酸イソペンタデシル、イソペンタデカン酸イソヘキサデシルが例示される。
【００４１】
酸成分としてイソヘキサデカン酸を用いた本エステルとしては、イソヘキサデカン酸ｎ−オクチル、イソヘキサデカン酸ｎ−ノニル、イソヘキサデカン酸ｎ−デシル、イソヘキサデカン酸ｎ−ウンデシル、イソヘキサデカン酸ｎ−ドデシル、イソヘキサデカン酸ｎ−トリデシル、イソヘキサデカン酸ｎ−テトラデシル、イソヘキサデカン酸ｎ−ペンタデシル、イソヘキサデカン酸ｎ−ヘキサデシル、イソヘキサデカン酸イソオクチル、イソヘキサデカン酸２−エチルヘキシル、イソヘキサデカン酸イソノニル、イソヘキサデカン酸３，５，５−トリメチルヘキシル、イソヘキサデカン酸イソデシル、イソヘキサデカン酸イソウンデシル、イソヘキサデカン酸イソドデシル、イソヘキサデカン酸イソトリデシル、イソヘキサデカン酸イソテトラデシル、イソヘキサデカン酸イソペンタデシル、イソヘキサデカン酸イソヘキサデシルが例示される。
【００４２】
本発明の軸受用潤滑油は、本エステルの１種若しくは２種以上を含有する。
【００４３】
本エステルの中でも、耐熱性に優れる点で、分子量が３００以上、好ましくは３４０以上であるものが推奨される。
【００４４】
分子量が３００以上の本エステルとしては、ｎ−ヘプタン酸ｎ−トリデシル、ｎ−ヘプタン酸ｎ−テトラデシル、ｎ−ヘプタン酸ｎ−ペンタデシル、ｎ−ヘプタン酸ｎ−ヘキサデシル、ｎ−ヘプタン酸イソトリデシル、ｎ−ヘプタン酸イソテトラデシル、ｎ−ヘプタン酸イソペンタデシル、ｎ−ヘプタン酸イソヘキサデシル、ｎ−オクタン酸ｎ−ドデシル、ｎ−オクタン酸ｎ−トリデシル、ｎ−オクタン酸ｎ−テトラデシル、ｎ−オクタン酸ｎ−ペンタデシル、ｎ−オクタン酸ｎ−ヘキサデシル、ｎ−オクタン酸イソドデシル、ｎ−オクタン酸イソトリデシル、ｎ−オクタン酸イソテトラデシル、ｎ−オクタン酸イソペンタデシル、ｎ−オクタン酸イソヘキサデシル、ｎ−ノナン酸ｎ−ウンデシル、ｎ−ノナン酸ｎ−ドデシル、ｎ−ノナン酸ｎ−トリデシル、ｎ−ノナン酸ｎ−テトラデシル、ｎ−ノナン酸ｎ−ペンタデシル、ｎ−ノナン酸ｎ−ヘキサデシル、ｎ−ノナン酸イソウンデシル、ｎ−ノナン酸イソドデシル、ｎ−ノナン酸イソトリデシル、ｎ−ノナン酸イソテトラデシル、ｎ−ノナン酸イソペンタデシル、ｎ−ノナン酸イソヘキサデシル、ｎ−デカン酸ｎ−デシル、ｎ−デカン酸ｎ−ウンデシル、ｎ−デカン酸ｎ−ドデシル、ｎ−デカン酸ｎ−トリデシル、ｎ−デカン酸ｎ−テトラデシル、ｎ−デカン酸ｎ−ペンタデシル、ｎ−デカン酸ｎ−ヘキサデシル、ｎ−デカン酸イソデシル、ｎ−デカン酸イソウンデシル、ｎ−デカン酸イソドデシル、ｎ−デカン酸イソトリデシル、ｎ−デカン酸イソテトラデシル、ｎ−デカン酸イソペンタデシル、ｎ−デカン酸イソヘキサデシル、ｎ−ウンデカン酸ｎ−ノニル、ｎ−ウンデカン酸ｎ−デシル、ｎ−ウンデカン酸ｎ−ウンデシル、ｎ−ウンデカン酸ｎ−ドデシル、ｎ−ウンデカン酸ｎ−トリデシル、ｎ−ウンデカン酸ｎ−テトラデシル、ｎ−ウンデカン酸ｎ−ペンタデシル、ｎ−ウンデカン酸ｎ−ヘキサデシル、ｎ−ウンデカン酸イソノニル、ｎ−ウンデカン酸３，５，５−トリメチルヘキシル、ｎ−ウンデカン酸イソデシル、ｎ−ウンデカン酸イソウンデシル、ｎ−ウンデカン酸イソドデシル、ｎ−ウンデカン酸イソトリデシル、ｎ−ウンデカン酸イソテトラデシル、ｎ−ウンデカン酸イソペンタデシル、ｎ−ウンデカン酸イソヘキサデシル、ｎ−ドデカン酸ｎ−オクチル、ｎ−ドデカン酸ｎ−ノニル、ｎ−ドデカン酸ｎ−デシル、ｎ−ドデカン酸ｎ−ウンデシル、ｎ−ドデカン酸ｎ−ドデシル、ｎ−ドデカン酸ｎ−トリデシル、ｎ−ドデカン酸ｎ−テトラデシル、ｎ−ドデカン酸ｎ−ペンタデシル、ｎ−ドデカン酸ｎ−ヘキサデシル、ｎ−ドデカン酸イソオクチル、ｎ−ドデカン酸２−エチルヘキシル、ｎ−ドデカン酸イソノニル、ｎ−ドデカン酸３，５，５−トリメチルヘキシル、ｎ−ドデカン酸イソデシル、ｎ−ドデカン酸イソウンデシル、ｎ−ドデカン酸イソドデシル、ｎ−ドデカン酸イソトリデシル、ｎ−ドデカン酸イソテトラデシル、ｎ−ドデカン酸イソペンタデシル、ｎ−ドデカン酸イソヘキサデシル、ｎ−トリデカン酸ｎ−オクチル、ｎ−トリデカン酸ｎ−ノニル、ｎ−トリデカン酸ｎ−デシル、ｎ−トリデカン酸ｎ−ウンデシル、ｎ−トリデカン酸ｎ−ドデシル、ｎ−トリデカン酸ｎ−トリデシル、ｎ−トリデカン酸ｎ−テトラデシル、ｎ−トリデカン酸ｎ−ペンタデシル、ｎ−トリデカン酸ｎ−ヘキサデシル、ｎ−トリデカン酸イソオクチル、ｎ−トリデカン酸２−エチルヘキシル、ｎ−トリデカン酸イソノニル、ｎ−トリデカン酸３，５，５−トリメチルヘキシル、ｎ−トリデカン酸イソデシル、ｎ−トリデカン酸イソウンデシル、ｎ−トリデカン酸イソドデシル、ｎ−トリデカン酸イソトリデシル、ｎ−トリデカン酸イソテトラデシル、ｎ−トリデカン酸イソペンタデシル、ｎ−トリデカン酸イソヘキサデシル、ｎ−テトラデカン酸ｎ−オクチル、ｎ−テトラデカン酸ｎ−ノニル、ｎ−テトラデカン酸ｎ−デシル、ｎ−テトラデカン酸ｎ−ウンデシル、ｎ−テトラデカン酸ｎ−ドデシル、ｎ−テトラデカン酸ｎ−トリデシル、ｎ−テトラデカン酸ｎ−テトラデシル、ｎ−テトラデカン酸ｎ−ペンタデシル、ｎ−テトラデカン酸ｎ−ヘキサデシル、ｎ−テトラデカン酸イソオクチル、ｎ−テトラデカン酸２−エチルヘキシル、ｎ−テトラデカン酸イソノニル、ｎ−テトラデカン酸３，５，５−トリメチルヘキシル、ｎ−テトラデカン酸イソデシル、ｎ−テトラデカン酸イソウンデシル、ｎ−テトラデカン酸イソドデシル、ｎ−テトラデカン酸イソトリデシル、ｎ−テトラデカン酸イソテトラデシル、ｎ−テトラデカン酸イソペンタデシル、ｎ−テトラデカン酸イソヘキサデシル、ｎ−ペンタデカン酸ｎ−オクチル、ｎ−ペンタデカン酸ｎ−ノニル、ｎ−ペンタデカン酸ｎ−デシル、ｎ−ペンタデカン酸ｎ−ウンデシル、ｎ−ペンタデカン酸ｎ−ドデシル、ｎ−ペンタデカン酸ｎ−トリデシル、ｎ−ペンタデカン酸ｎ−テトラデシル、ｎ−ペンタデカン酸ｎ−ペンタデシル、ｎ−ペンタデカン酸ｎ−ヘキサデシル、ｎ−ペンタデカン酸イソオクチル、ｎ−ペンタデカン酸２−エチルヘキシル、ｎ−ペンタデカン酸イソノニル、ｎ−ペンタデカン酸３，５，５−トリメチルヘキシル、ｎ−ペンタデカン酸イソデシル、ｎ−ペンタデカン酸イソウンデシル、ｎ−ペンタデカン酸イソドデシル、ｎ−ペンタデカン酸イソトリデシル、ｎ−ペンタデカン酸イソテトラデシル、ｎ−ペンタデカン酸イソペンタデシル、ｎ−ペンタデカン酸イソヘキサデシル、ｎ−ヘキサデカン酸ｎ−オクチル、ｎ−ヘキサデカン酸ｎ−ノニル、ｎ−ヘキサデカン酸ｎ−デシル、ｎ−ヘキサデカン酸ｎ−ウンデシル、ｎ−ヘキサデカン酸ｎ−ドデシル、ｎ−ヘキサデカン酸ｎ−トリデシル、ｎ−ヘキサデカン酸ｎ−テトラデシル、ｎ−ヘキサデカン酸ｎ−ペンタデシル、ｎ−ヘキサデカン酸ｎ−ヘキサデシル、ｎ−ヘキサデカン酸イソオクチル、ｎ−ヘキサデカン酸２−エチルヘキシル、ｎ−ヘキサデカン酸イソノニル、ｎ−ヘキサデカン酸３，５，５−トリメチルヘキシル、ｎ−ヘキサデカン酸イソデシル、ｎ−ヘキサデカン酸イソウンデシル、ｎ−ヘキサデカン酸イソドデシル、ｎ−ヘキサデカン酸イソトリデシル、ｎ−ヘキサデカン酸イソテトラデシル、ｎ−ヘキサデカン酸イソペンタデシル、ｎ−ヘキサデカン酸イソヘキサデシル、イソヘプタン酸ｎ−トリデシル、イソヘプタン酸ｎ−テトラデシル、イソヘプタン酸ｎ−ペンタデシル、イソヘプタン酸ｎ−ヘキサデシル、イソヘプタン酸イソトリデシル、イソヘプタン酸イソテトラデシル、イソヘプタン酸イソペンタデシル、イソヘプタン酸イソヘキサデシル、イソオクタン酸ｎ−ドデシル、イソオクタン酸ｎ−トリデシル、イソオクタン酸ｎ−テトラデシル、イソオクタン酸ｎ−ペンタデシル、イソオクタン酸ｎ−ヘキサデシル、イソオクタン酸イソドデシル、イソオクタン酸イソトリデシル、イソオクタン酸イソテトラデシル、イソオクタン酸イソペンタデシル、イソオクタン酸イソヘキサデシル、２−エチルヘキサン酸ｎ−ドデシル、２−エチルヘキサン酸ｎ−トリデシル、２−エチルヘキサン酸ｎ−テトラデシル、２−エチルヘキサン酸ｎ−ペンタデシル、２−エチルヘキサン酸ｎ−ヘキサデシル、２−エチルヘキサン酸イソドデシル、２−エチルヘキサン酸イソトリデシル、２−エチルヘキサン酸イソテトラデシル、２−エチルヘキサン酸イソペンタデシル、２−エチルヘキサン酸イソヘキサデシル、イソノナン酸ｎ−ウンデシル、イソノナン酸ｎ−ドデシル、イソノナン酸ｎ−トリデシル、イソノナン酸ｎ−テトラデシル、イソノナン酸ｎ−ペンタデシル、イソノナン酸ｎ−ヘキサデシル、イソノナン酸イソウンデシル、イソノナン酸イソドデシル、イソノナン酸イソトリデシル、イソノナン酸イソテトラデシル、イソノナン酸イソペンタデシル、イソノナン酸イソヘキサデシル、３，５，５−トリメチルヘキサン酸ｎ−ウンデシル、３，５，５−トリメチルヘキサン酸ｎ−ドデシル、３，５，５−トリメチルヘキサン酸ｎ−トリデシル、３，５，５−トリメチルヘキサン酸ｎ−テトラデシル、３，５，５−トリメチルヘキサン酸ｎ−ペンタデシル、３，５，５−トリメチルヘキサン酸ｎ−ヘキサデシル、３，５，５−トリメチルヘキサン酸イソウンデシル、３，５，５−トリメチルヘキサン酸イソドデシル、３，５，５−トリメチルヘキサン酸イソトリデシル、３，５，５−トリメチルヘキサン酸イソテトラデシル、３，５，５−トリメチルヘキサン酸イソペンタデシル、３，５，５−トリメチルヘキサン酸イソヘキサデシル、イソデカン酸ｎ−デシル、イソデカン酸ｎ−ウンデシル、イソデカン酸ｎ−ドデシル、イソデカン酸ｎ−トリデシル、イソデカン酸ｎ−テトラデシル、イソデカン酸ｎ−ペンタデシル、イソデカン酸ｎ−ヘキサデシル、イソデカン酸イソデシル、イソデカン酸イソウンデシル、イソデカン酸イソドデシル、イソデカン酸イソトリデシル、イソデカン酸イソテトラデシル、イソデカン酸イソペンタデシル、イソデカン酸イソヘキサデシル、イソウンデカン酸ｎ−ノニル、イソウンデカン酸ｎ−デシル、イソウンデカン酸ｎ−ウンデシル、イソウンデカン酸ｎ−ドデシル、イソウンデカン酸ｎ−トリデシル、イソウンデカン酸ｎ−テトラデシル、イソウンデカン酸ｎ−ペンタデシル、イソウンデカン酸ｎ−ヘキサデシル、イソウンデカン酸イソノニル、イソウンデカン酸３，５，５−トリメチルヘキシル、イソウンデカン酸イソデシル、イソウンデカン酸イソウンデシル、イソウンデカン酸イソドデシル、イソウンデカン酸イソトリデシル、イソウンデカン酸イソテトラデシル、イソウンデカン酸イソペンタデシル、イソウンデカン酸イソヘキサデシル、イソドデカン酸ｎ−オクチル、イソドデカン酸ｎ−ノニル、イソドデカン酸ｎ−デシル、イソドデカン酸ｎ−ウンデシル、イソドデカン酸ｎ−ドデシル、イソドデカン酸ｎ−トリデシル、イソドデカン酸ｎ−テトラデシル、イソドデカン酸ｎ−ペンタデシル、イソドデカン酸ｎ−ヘキサデシル、イソドデカン酸イソオクチル、イソドデカン酸２−エチルヘキシル、イソドデカン酸イソノニル、イソドデカン酸３，５，５−トリメチルヘキシル、イソドデカン酸イソデシル、イソドデカン酸イソウンデシル、イソドデカン酸イソドデシル、イソドデカン酸イソトリデシル、イソドデカン酸イソテトラデシル、イソドデカン酸イソテトラデシル、イソドデカン酸イソペンタデシル、イソドデカン酸イソヘキサデシル、イソトリデカン酸ｎ−オクチル、イソトリデカン酸ｎ−ノニル、イソトリデカン酸ｎ−デシル、イソトリデカン酸ｎ−ウンデシル、イソトリデカン酸ｎ−ドデシル、イソトリデカン酸ｎ−トリデシル、イソトリデカン酸ｎ−テトラデシル、イソトリデカン酸ｎ−テトラデシル、イソトリデカン酸ｎ−ペンタデシル、イソトリデカン酸ｎ−ヘキサデシル、イソトリデカン酸イソオクチル、イソトリデカン酸２−エチルヘキシル、イソトリデカン酸イソノニル、イソトリデカン酸３，５，５−トリメチルヘキシル、イソトリデカン酸イソデシル、イソトリデカン酸イソウンデシル、イソトリデカン酸イソドデシル、イソトリデカン酸イソトリデシル、イソトリデカン酸イソテトラデシル、イソトリデカン酸イソペンタデシル、イソトリデカン酸イソヘキサデシル、イソテトラデカン酸ｎ−オクチル、イソテトラデカン酸ｎ−ノニル、イソテトラデカン酸ｎ−デシル、イソテトラデカン酸ｎ−ウンデシル、イソテトラデカン酸ｎ−ドデシル、イソテトラデカン酸ｎ−トリデシル、イソテトラデカン酸ｎ−テトラデシル、イソテトラデカン酸ｎ−ペンタデシル、イソテトラデカン酸ｎ−ヘキサデシル、イソテトラデカン酸イソオクチル、イソテトラデカン酸２−エチルヘキシル、イソテトラデカン酸イソノニル、イソテトラデカン酸３，５，５−トリメチルヘキシル、イソテトラデカン酸イソデシル、イソテトラデカン酸イソウンデシル、イソテトラデカン酸イソドデシル、イソテトラデカン酸イソトリデシル、イソテトラデカン酸イソテトラデシル、イソテトラデカン酸イソペンタデシル、イソテトラデカン酸イソヘキサデシル、イソペンタデカン酸ｎ−オクチル、イソペンタデカン酸ｎ−ノニル、イソペンタデカン酸ｎ−デシル、イソペンタデカン酸ｎ−ウンデシル、イソペンタデカン酸ｎ−ドデシル、イソペンタデカン酸ｎ−トリデシル、イソペンタデカン酸ｎ−テトラデシル、イソペンタデカン酸ｎ−ペンタデシル、イソペンタデカン酸ｎ−ヘキサデシル、イソペンタデカン酸イソオクチル、イソペンタデカン酸２−エチルヘキシル、イソペンタデカン酸イソノニル、イソペンタデカン酸３，５，５−トリメチルヘキシル、イソペンタデカン酸イソデシル、イソペンタデカン酸イソウンデシル、イソペンタデカン酸イソドデシル、イソペンタデカン酸イソトリデシル、イソペンタデカン酸イソテトラデシル、イソペンタデカン酸イソペンタデシル、イソペンタデカン酸イソヘキサデシル、イソヘキサデカン酸ｎ−オクチル、イソヘキサデカン酸ｎ−ノニル、イソヘキサデカン酸ｎ−デシル、イソヘキサデカン酸ｎ−ウンデシル、イソヘキサデカン酸ｎ−ドデシル、イソヘキサデカン酸ｎ−トリデシル、イソヘキサデカン酸ｎ−テトラデシル、イソヘキサデカン酸ｎ−ペンタデシル、イソヘキサデカン酸ｎ−ヘキサデシル、イソヘキサデカン酸イソオクチル、イソヘキサデカン酸２−エチルヘキシル、イソヘキサデカン酸イソノニル、イソヘキサデカン酸３，５，５−トリメチルヘキシル、イソヘキサデカン酸イソデシル、イソヘキサデカン酸イソウンデシル、イソヘキサデカン酸イソドデシル、イソヘキサデカン酸イソトリデシル、イソヘキサデカン酸イソテトラデシル、イソヘキサデカン酸イソペンタデシル、イソヘキサデカン酸イソヘキサデシルが例示される。
【００４５】
上記分子量が３００以上のエステルの中でも、酸成分が炭素数８〜１４の脂肪族飽和モノカルボン酸であり、且つ、アルコール成分が炭素数８〜１２の脂肪族飽和一価アルコールであるものが特に好ましい。具体的には、ｎ−オクタン酸ｎ−ドデシル、ｎ−オクタン酸イソドデシル、ｎ−ノナン酸ｎ−ウンデシル、ｎ−ノナン酸ｎ−ドデシル、ｎ−ノナン酸イソウンデシル、ｎ−ノナン酸イソドデシル、ｎ−デカン酸ｎ−デシル、ｎ−デカン酸ｎ−ウンデシル、ｎ−デカン酸ｎ−ドデシル、ｎ−デカン酸イソデシル、ｎ−デカン酸イソウンデシル、ｎ−デカン酸イソドデシル、ｎ−ウンデカン酸ｎ−ノニル、ｎ−ウンデカン酸ｎ−デシル、ｎ−ウンデカン酸ｎ−ウンデシル、ｎ−ウンデカン酸ｎ−ドデシル、ｎ−ウンデカン酸イソノニル、ｎ−ウンデカン酸３，５，５−トリメチルヘキシル、ｎ−ウンデカン酸イソデシル、ｎ−ウンデカン酸イソウンデシル、ｎ−ウンデカン酸イソドデシル、ｎ−ドデカン酸ｎ−オクチル、ｎ−ドデカン酸ｎ−ノニル、ｎ−ドデカン酸ｎ−デシル、ｎ−ドデカン酸ｎ−ウンデシル、ｎ−ドデカン酸ｎ−ドデシル、ｎ−ドデカン酸イソオクチル、ｎ−ドデカン酸２−エチルヘキシル、ｎ−ドデカン酸イソノニル、ｎ−ドデカン酸３，５，５−トリメチルヘキシル、ｎ−ドデカン酸イソデシル、ｎ−ドデカン酸イソウンデシル、ｎ−ドデカン酸イソドデシル、ｎ−トリデカン酸ｎ−オクチル、ｎ−トリデカン酸ｎ−ノニル、ｎ−トリデカン酸ｎ−デシル、ｎ−トリデカン酸ｎ−ウンデシル、ｎ−トリデカン酸ｎ−ドデシル、ｎ−トリデカン酸イソオクチル、ｎ−トリデカン酸２−エチルヘキシル、ｎ−トリデカン酸イソノニル、ｎ−トリデカン酸３，５，５−トリメチルヘキシル、ｎ−トリデカン酸イソデシル、ｎ−トリデカン酸イソウンデシル、ｎ−トリデカン酸イソドデシル、ｎ−テトラデカン酸ｎ−オクチル、ｎ−テトラデカン酸ｎ−ノニル、ｎ−テトラデカン酸ｎ−デシル、ｎ−テトラデカン酸ｎ−ウンデシル、ｎ−テトラデカン酸ｎ−ドデシル、ｎ−テトラデカン酸イソオクチル、ｎ−テトラデカン酸２−エチルヘキシル、ｎ−テトラデカン酸イソノニル、ｎ−テトラデカン酸３，５，５−トリメチルヘキシル、ｎ−テトラデカン酸イソデシル、ｎ−テトラデカン酸イソウンデシル、ｎ−テトラデカン酸イソドデシル、イソオクタン酸ｎ−ドデシル、イソオクタン酸イソドデシル、２−エチルヘキサン酸ｎ−ドデシル、２−エチルヘキサン酸イソドデシル、イソノナン酸ｎ−ウンデシル、イソノナン酸ｎ−ドデシル、イソノナン酸イソウンデシル、イソノナン酸イソドデシル、３，５，５−トリメチルヘキサン酸ｎ−ウンデシル、３，５，５−トリメチルヘキサン酸ｎ−ドデシル、３，５，５−トリメチルヘキサン酸イソウンデシル、３，５，５−トリメチルヘキサン酸イソドデシル、イソデカン酸ｎ−デシル、イソデカン酸ｎ−ウンデシル、イソデカン酸ｎ−ドデシル、イソデカン酸イソデシル、イソデカン酸イソウンデシル、イソデカン酸イソドデシル、イソウンデカン酸ｎ−ノニル、イソウンデカン酸ｎ−デシル、イソウンデカン酸ｎ−ウンデシル、イソウンデカン酸ｎ−ドデシル、イソウンデカン酸イソノニル、イソウンデカン酸３，５，５−トリメチルヘキシル、イソウンデカン酸イソデシル、イソウンデカン酸イソウンデシル、イソウンデカン酸イソドデシル、イソドデカン酸ｎ−オクチル、イソドデカン酸ｎ−ノニル、イソドデカン酸ｎ−デシル、イソドデカン酸ｎ−ウンデシル、イソドデカン酸ｎ−ドデシル、イソドデカン酸イソオクチル、イソドデカン酸２−エチルヘキシル、イソドデカン酸イソノニル、イソドデカン酸３，５，５−トリメチルヘキシル、イソドデカン酸イソデシル、イソドデカン酸イソウンデシル、イソドデカン酸イソドデシル、イソトリデカン酸ｎ−オクチル、イソトリデカン酸ｎ−ノニル、イソトリデカン酸ｎ−デシル、イソトリデカン酸ｎ−ウンデシル、イソトリデカン酸ｎ−ドデシル、イソトリデカン酸イソオクチル、イソトリデカン酸２−エチルヘキシル、イソトリデカン酸イソノニル、イソトリデカン酸３，５，５−トリメチルヘキシル、イソトリデカン酸イソデシル、イソトリデカン酸イソウンデシル、イソトリデカン酸イソドデシル、イソテトラデカン酸ｎ−オクチル、イソテトラデカン酸ｎ−ノニル、イソテトラデカン酸ｎ−デシル、イソテトラデカン酸ｎ−ウンデシル、イソテトラデカン酸ｎ−ドデシル、イソテトラデカン酸イソオクチル、イソテトラデカン酸２−エチルヘキシル、イソテトラデカン酸イソノニル、イソテトラデカン酸３，５，５−トリメチルヘキシル、イソテトラデカン酸イソデシル、イソテトラデカン酸イソウンデシル、イソテトラデカン酸イソドデシルが例示される。
【００４６】
更に、本エステルとしては、酸成分又はアルコール成分に分岐鎖を有するものが、低温流動性に優れる点で特に好ましい。従って、本エステルの中でも、分子量が３００以上であり、且つ、
▲１▼炭素数８〜１４の脂肪族飽和直鎖状モノカルボン酸と炭素数８〜１２の脂肪族飽和分岐鎖状一価アルコールとをエステル化して得られる脂肪族モノカルボン酸エステル、
分子量が３００以上であり、且つ、
▲２▼炭素数８〜１４の脂肪族飽和分岐鎖状モノカルボン酸と炭素数８〜１２の脂肪族飽和分岐鎖状一価アルコールとをエステル化して得られる脂肪族モノカルボン酸エステル、
及び、分子量が３００以上であり、且つ、
▲３▼炭素数８〜１４の脂肪族飽和分岐鎖状モノカルボン酸と炭素数８〜１２の脂肪族飽和直鎖状一価アルコールとをエステル化して得られる脂肪族モノカルボン酸エステルが、耐熱性及び低温流動性に優れる点で最も好ましい。
【００４７】
このような本エステルとして、具体的には、ｎ−オクタン酸イソドデシル、ｎ−ノナン酸イソウンデシル、ｎ−ノナン酸イソドデシル、ｎ−デカン酸イソデシル、ｎ−デカン酸イソウンデシル、ｎ−デカン酸イソドデシル、ｎ−ウンデカン酸イソノニル、ｎ−ウンデカン酸３，５，５−トリメチルヘキシル、ｎ−ウンデカン酸イソデシル、ｎ−ウンデカン酸イソウンデシル、ｎ−ウンデカン酸イソドデシル、ｎ−ドデカン酸イソオクチル、ｎ−ドデカン酸２−エチルヘキシル、ｎ−ドデカン酸イソノニル、ｎ−ドデカン酸３，５，５−トリメチルヘキシル、ｎ−ドデカン酸イソデシル、ｎ−ドデカン酸イソウンデシル、ｎ−ドデカン酸イソドデシル、ｎ−トリデカン酸イソオクチル、ｎ−トリデカン酸２−エチルヘキシル、ｎ−トリデカン酸イソノニル、ｎ−トリデカン酸３，５，５−トリメチルヘキシル、ｎ−トリデカン酸イソデシル、ｎ−トリデカン酸イソウンデシル、ｎ−トリデカン酸イソドデシル、ｎ−テトラデカン酸イソオクチル、ｎ−テトラデカン酸２−エチルヘキシル、ｎ−テトラデカン酸イソノニル、ｎ−テトラデカン酸３，５，５−トリメチルヘキシル、ｎ−テトラデカン酸イソデシル、ｎ−テトラデカン酸イソウンデシル、ｎ−テトラデカン酸イソドデシル、イソオクタン酸ｎ−ドデシル、イソオクタン酸イソドデシル、２−エチルヘキサン酸ｎ−ドデシル、２−エチルヘキサン酸イソドデシル、イソノナン酸ｎ−ウンデシル、イソノナン酸ｎ−ドデシル、イソノナン酸イソウンデシル、イソノナン酸イソドデシル、３，５，５−トリメチルヘキサン酸ｎ−ウンデシル、３，５，５−トリメチルヘキサン酸ｎ−ドデシル、３，５，５−トリメチルヘキサン酸イソウンデシル、３，５，５−トリメチルヘキサン酸イソドデシル、イソデカン酸ｎ−デシル、イソデカン酸ｎ−ウンデシル、イソデカン酸ｎ−ドデシル、イソデカン酸イソデシル、イソデカン酸イソウンデシル、イソデカン酸イソドデシル、イソウンデカン酸ｎ−ノニル、イソウンデカン酸ｎ−デシル、イソウンデカン酸ｎ−ウンデシル、イソウンデカン酸ｎ−ドデシル、イソウンデカン酸イソノニル、イソウンデカン酸３，５，５−トリメチルヘキシル、イソウンデカン酸イソデシル、イソウンデカン酸イソウンデシル、イソウンデカン酸イソドデシル、イソドデカン酸ｎ−オクチル、イソドデカン酸ｎ−ノニル、イソドデカン酸ｎ−デシル、イソドデカン酸ｎ−ウンデシル、イソドデカン酸ｎ−ドデシル、イソドデカン酸イソオクチル、イソドデカン酸２−エチルヘキシル、イソドデカン酸イソノニル、イソドデカン酸３，５，５−トリメチルヘキシル、イソドデカン酸イソデシル、イソドデカン酸イソウンデシル、イソドデカン酸イソドデシル、イソトリデカン酸ｎ−オクチル、イソトリデカン酸ｎ−ノニル、イソトリデカン酸ｎ−デシル、イソトリデカン酸ｎ−ウンデシル、イソトリデカン酸ｎ−ドデシル、イソトリデカン酸イソオクチル、イソトリデカン酸２−エチルヘキシル、イソトリデカン酸イソノニル、イソトリデカン酸３，５，５−トリメチルヘキシル、イソトリデカン酸イソデシル、イソトリデカン酸イソウンデシル、イソトリデカン酸イソドデシル、イソテトラデカン酸ｎ−オクチル、イソテトラデカン酸ｎ−ノニル、イソテトラデカン酸ｎ−デシル、イソテトラデカン酸ｎ−ウンデシル、イソテトラデカン酸ｎ−ドデシル、イソテトラデカン酸イソオクチル、イソテトラデカン酸２−エチルヘキシル、イソテトラデカン酸イソノニル、イソテトラデカン酸３，５，５−トリメチルヘキシル、イソテトラデカン酸イソデシル、イソテトラデカン酸イソウンデシル、イソテトラデカン酸イソドデシルが例示される。
【００４８】
また、上記に最も好ましいものとして例示した本エステルの中でも、酸成分の炭素数が特定の範囲にあるエステルを、特定の組み合わせで２種以上併用することが特に推奨される。即ち、本エステルとしては、分子量が何れも３００以上のエステルであって、
▲１▼下記（ａ）及び（ｂ）のエステルからなる２種以上のエステルの混合物
（ａ）酸成分が炭素数８〜１２の脂肪族飽和直鎖状若しくは分岐鎖状モノカルボン酸であって、アルコール成分が炭素数８〜１２の脂肪族飽和分岐鎖状一価アルコールであるエステルの１種若しくは２種以上
（ｂ）酸成分が炭素数１３〜１４の脂肪族飽和直鎖状若しくは分岐鎖状モノカルボン酸であって、アルコール成分が炭素数８〜１２の脂肪族飽和分岐鎖状一価アルコールであるエステルの１種若しくは２種以上
及び、
▲２▼下記（ｃ）及び（ｄ）のエステルからなる２種以上のエステルの混合物
（ｃ）酸成分が炭素数８〜１０の脂肪族飽和分岐鎖状モノカルボン酸であってアルコール成分が炭素数８〜１２の脂肪族飽和直鎖状若しくは分岐鎖状一価アルコールであるエステルの１種若しくは２種以上
（ｄ）酸成分が炭素数１１〜１４の脂肪族飽和分岐鎖状モノカルボン酸であってアルコール成分が炭素数８〜１２の脂肪族飽和直鎖状若しくは分岐鎖状一価アルコールであるエステルの１種若しくは２種以上
が特に推奨される。このように特定のエステルを２種以上組み合わせて使用することにより、本発明の軸受用潤滑油は、耐熱性、潤滑性、及び低粘度の３性能のバランスに特に優れたものとなる。
【００４９】
本エステルの全酸価としては０．１ｍｇＫＯＨ／ｇ以下、好ましくは０．０５ｍｇＫＯＨ／ｇ以下であることが望ましい。全酸価が０．１ｍｇＫＯＨ／ｇ以下のときには耐熱性が向上する。全酸価は中和により調整可能である。
【００５０】
本エステルの水酸基価としては５ｍｇＫＯＨ／ｇ以下、好ましくは３ｍｇＫＯＨ／ｇ以下、更に好ましくは１ｍｇＫＯＨ／ｇ以下であることが望ましい。水酸基価が５ｍｇＫＯＨ／ｇ以下のときには耐熱性が向上する。水酸基価は精製により未反応アルコールを除去することで調整可能である。
【００５１】
本エステルの硫酸灰分としては、２ｐｐｍ以下、好ましくは１ｐｐｍ以下であることが好ましい。硫酸灰分が２ｐｐｍ以下のときには耐熱性が向上する。硫酸灰分は、本エステルの原料となる酸及び／又はアルコールとして硫酸灰分が低いもの（例えば、１ｐｐｍ以下のもの）を用い、又、触媒として金属触媒を使用した場合、触媒自身及び触媒由来の有機金属化合物を中和、水洗、吸着精製にて十分に除去することで調整可能である。
【００５２】
本エステルのヨウ素価としては、１以下、好ましくは０．５以下、更に好ましくは０．１以下であることが好ましい。ヨウ素価が１以下のときは耐熱性が向上する。ヨウ素価は、本エステルの原料となる酸及び／又はアルコールとしてヨウ素価が低いもの（例えば、０．３以下のもの）を用いることで調整可能である。
又、精製したヨウ素価が１以上のエステルを還元することでも調整可能である。
【００５３】
本エステルの中でも、ＪＩＳ−Ｋ−２２６９に記載される流動点が−５℃以下であるものが好ましく、より低温での使用に適する点で−１０℃以下、更には−１５℃以下であるものが好ましい。
【００５４】
本エステルは、本発明の軸受用潤滑油に４０〜１００重量％、好ましくは６０〜１００重量％含有される。
【００５５】
本発明に係る軸受用潤滑油は、その性能を低下させない範囲で、他の潤滑油基油（以下「併用基油」という）、即ち、鉱物油（石油の精製によって得られる炭化水素油）、ポリ−α−オレフィン、ポリブテン、アルキルベンゼン、アルキルナフタレン、フィッシャートロプシュ法（Fischer-Tropsch process）によって得られる合成炭化水素の異性化油などの合成炭化水素油、動植物油、有機酸エステル、ポリアルキレングリコール、ポリビニルエーテル、ポリフェニルエーテル、アルキルフェニルエーテル、シリコーン油よりなる群から選ばれる１種若しくは２種以上の化合物を適宜併用することができる。
【００５６】
鉱物油としては、溶剤精製鉱油、水素化精製鉱油、ワックス異性化油が挙げられるが、通常、１００℃における動粘度が１．０〜１０ｍｍ２／ｓ、好ましくは２．０〜５．０ｍｍ２／ｓの範囲にあるものが用いられる。
【００５７】
ポリ−α−オレフィンとしては、炭素数２〜１６のα−オレフィン（例えばエチレン、プロピレン、１−ブテン、１−ヘキセン、１−オクテン、１−デセン、１−ドデセン、１−テトラデセン、１ーヘキサデセン等）の重合体又は共重合体であって１００℃における動粘度が１．０〜１０ｍｍ２／ｓ、粘度指数が１００以上のものが例示され、特に１００℃における動粘度が１．５〜６．０ｍｍ２／ｓで、粘度指数が１２０以上のものが好ましい。
【００５８】
ポリブテンとしては、イソブチレンを重合したもの、イソブチレンをノルマルブチレンと共重合したものがあり、一般に１００℃の動粘度が２．０〜４０ｍｍ２／ｓの広範囲のものが挙げられる。
【００５９】
アルキルベンゼンとしては、炭素数１〜４０の直鎖又は分岐のアルキル基で置換された、分子量が２００〜４５０であるモノアルキルベンゼン、ジアルキルベンゼン、トリアルキルベンゼン、テトラアルキルベンゼン等が例示される。
【００６０】
アルキルナフタレンとしては、炭素数１〜３０の直鎖又は分岐のアルキル基で置換されたモノアルキルナフタレン、ジアルキルナフタレン等が例示される。
【００６１】
動植物油としては、牛脂、豚脂、パーム油、ヤシ油、ナタネ油、ヒマシ油、ヒマワリ油等が例示される。
【００６２】
本エステル以外の有機酸エステルとしては、脂肪族二塩基酸エステル、脂環族多価カルボン酸エステル、ポリオールエステル及びその他のエステルが例示される。
【００６３】
脂肪族二塩基酸エステルとしては、シュウ酸、マロン酸、コハク酸、グルタル酸、アジピン酸、ピメリン酸、スベリン酸、アゼライン酸、セバシン酸、１，９−ノナメチレンジカルボン酸、１，１０−デカメチレンジカルボン酸等脂肪族二塩基酸と若しくはその無水物と炭素数３〜２２の直鎖状又は分岐鎖状の飽和若しくは不飽和の脂肪族アルコールとのフルエステルが挙げられる。
【００６４】
脂環族多価カルボン酸エステルとしては、１，２−シクロヘキサンジカルボン酸、１，３−シクロヘキサンジカルボン酸、１，４−シクロヘキサンジカルボン酸、１−シクロヘキセン−１，２−ジカルボン酸、４−シクロヘキセン−１，２−ジカルボン酸、１，２，４−シクロヘキサントリカルボン酸、１，３，５−シクロヘキサントリカルボン酸、１，２，４，５−シクロヘキサンテトラカルボン酸若しくはその無水物と炭素数３〜２２の直鎖状又は分岐鎖状の飽和又は不飽和の脂肪族アルコールとのフルエステルが挙げられる。
【００６５】
ポリオールエステルとしては、ネオペンチルグリコール、トリメチロールプロパン、ペンタエリスリトール、ジトリメチロールプロパン、ジペンタエリスリトール等のネオペンチルポリオールと炭素数３〜２２の直鎖状及び／又は分岐鎖状の飽和又は不飽和の脂肪酸とのフルエステルが挙げられる。
【００６６】
その他のエステルとしては、ダイマー酸、水添ダイマー酸などの重合脂肪酸と炭素数３〜２２の直鎖状若しくは分岐鎖状の飽和又は不飽和の脂肪族アルコールとのエステルが挙げられる。
【００６７】
ポリアルキレングリコールとしては、アルコールと炭素数２〜４の直鎖状若しくは分岐鎖状のアルキレンオキサイドの開環重合体が例示される。アルキレンオキサイドとしてはエチレンオキサイド、プロピレンオキサイド、ブチレンオキサイドが挙げられ、これらの１種を用いた重合体、若しくは２種以上の混合物を用いた共重合体が使用可能である。又、片端又は両端の水酸基部分がエーテル化若しくはエステル化した化合物も使用可能である。重合体の動粘度としては、５．０〜１０００ｍｍ２／ｓ（４０℃）、好ましくは５．０〜５００ｍｍ２／ｓ（４０℃）である。
【００６８】
ポリビニルエーテルとしては、ビニルエーテルモノマーの重合によって得られる化合物であり、モノマーとしてはメチルビニルエーテル、エチルビニルエーテル、イソプロピルビニルエーテル、ｎ−ブチルビニルエーテル、イソブチルビニルエーテル、ｓｅｃ−ブチルビニルエーテル、ｔｅｒｔ−ブチルビニルエーテル、ｎ−ペンチルビニルエーテル、ｎ−ヘキシルビニルエーテル、２−メトキシエチルビニルエーテル、２−エトキシエチルビニルエーテル等が挙げられる。重合体の動粘度としては、５．０〜１０００ｍｍ２／ｓ（４０℃）、好ましくは５．０〜５００ｍｍ２／ｓ（４０℃）である。
【００６９】
ポリフェニルエーテルとしては、２個以上の芳香環のメタ位をエーテル結合又はチオエーテル結合でつないだ構造を有する化合物が挙げられ、具体的には、ビス（ｍ−フェノキシフェニル）エーテル、ｍ−ビス（ｍ−フェノキシフェノキシ）ベンゼン、及びそれらの酸素の１個若しくは２個以上を硫黄に置換したチオエーテル類（通称Ｃ−エーテル）等が例示される。
【００７０】
アルキルフェニルエーテルとしては、ポリフェニルエーテルを炭素数６〜１８の直鎖状若しくは分岐鎖状のアルキル基で置換した化合物が挙げられ、特に１個以上のアルキル基で置換したアルキルジフェニルエーテルが好ましい。
【００７１】
シリコーン油としては、ジメチルシリコーン、メチルフェニルシリコーンのほか、長鎖アルキルシリコーン、フルオロシリコーン等の変性シリコーンが挙げられる。
【００７２】
本発明の軸受用潤滑油にこれらの併用基油を用いる場合、その含有量としては、軸受用潤滑油に対して５〜６０重量％が推奨される。
【００７３】
これらの併用基油の中でも、耐熱性及び潤滑性に優れる点で有機酸エステルが好ましく、特に、脂肪族二塩基酸エステル及びポリオールエステルが好ましい。
【００７４】
特に好ましい脂肪族二塩基酸エステルとしては、アジピン酸、アゼライン酸又はセバシン酸と、炭素数８〜１０の脂肪族飽和直鎖状一価アルコール又は炭素数８〜１３の脂肪族飽和分岐鎖状一価アルコールとのフルエステルが例示される。
具体的には、アジピン酸ジ（ｎ−オクチル）、アジピン酸ジ（ｎ−ノニル）、アジピン酸ジ（ｎ−デシル）、アジピン酸ジ（２−エチルヘキシル）、アジピン酸ジイソオクチル、アジピン酸ジイソノニル、アジピン酸ジ（３，５，５−トリメチルヘキシル）、アジピン酸ジイソデシル、アジピン酸ジイソウンデシル、アジピン酸ジイソドデシル、アジピン酸ジイソトリデシル、アゼライン酸ジ（ｎ−オクチル）、アゼライン酸ジ（ｎ−ノニル）、アゼライン酸ジ（ｎ−デシル）、アゼライン酸ジ（２−エチルヘキシル）、アゼライン酸ジイソオクチル、アゼライン酸ジイソノニル、アゼライン酸ジ（３，５，５−トリメチルヘキシル）、アゼライン酸ジイソデシル、アゼライン酸ジイソウンデシル、アゼライン酸ジイソドデシル、アゼライン酸ジイソトリデシル、セバシン酸ジ（ｎ−オクチル）、セバシン酸ジ（ｎ−ノニル）、セバシン酸ジ（ｎ−デシル）、セバシン酸ジ（２−エチルヘキシル）、セバシン酸ジイソオクチル、セバシン酸ジイソノニル、セバシン酸ジ（３，５，５−トリメチルヘキシル）、セバシン酸ジイソデシル、セバシン酸ジイソウンデシル、セバシン酸ジイソドデシル、セバシン酸ジイソトリデシルが好ましい。
【００７５】
これらの中でも、更に、軸受用潤滑油の低温流動性に優れる点で、アジピン酸ジ（２−エチルヘキシル）、アジピン酸ジイソノニル、アジピン酸ジ（３，５，５−トリメチルヘキシル）、アジピン酸ジイソデシル、アジピン酸ジイソトリデシル、アゼライン酸ジ（２−エチルヘキシル）、アゼライン酸ジイソノニル、アゼライン酸ジ（３，５，５−トリメチルヘキシル）、アゼライン酸ジイソデシル、アゼライン酸ジイソトリデシル、セバシン酸ジ（２−エチルヘキシル）、セバシン酸ジイソノニル、セバシン酸ジ（３，５，５−トリメチルヘキシル）、セバシン酸ジイソデシル、セバシン酸ジイソトリデシルが最も好ましい。
【００７６】
又、特に好ましいポリオールエステルとしては、ネオペンチルグリコール、トリメチロールプロパン、ペンタエリスリトール又はジペンタエリスリトールと、炭素数５〜１０の直鎖状及び／又は分岐鎖状の脂肪酸とのフルエステルが例示される。具体的には、ネオペンチルグリコール、トリメチロールプロパン、ペンタエリスリトール若しくはジペンタエリスリトールから選ばれる１種若しくは２種以上の多価アルコールと、ｎ−ペンタン酸、ｎ−ヘキサン酸、ｎ−ヘプタン酸、ｎ−オクタン酸、ｎ−ノナン酸、ｎ−デカン酸、イソペンタン酸、イソヘキサン酸、イソヘプタン酸、イソオクタン酸、２−エチルヘキサン酸、イソノナン酸、３，５，５−トリメチルヘキサン酸、イソデカン酸から選ばれる１種若しくは２種以上の脂肪族モノカルボン酸から得られるフルエステルが好ましい。
【００７７】
これらの中でも、更に、軸受用潤滑油が低粘度である点で、ネオペンチルグリコールと炭素数５〜１０の直鎖状脂肪酸とのフルエステルが好ましく、特に、低温流動性に優れる点で、ネオペンチルグリコールと２種の炭素数５〜１０の直鎖状脂肪酸からなる混基エステルが最も好ましい。
【００７８】
ネオペンチルグリコールと炭素数５〜１０の直鎖状脂肪酸の混基エステルの具体例としては、ネオペンチルグリコールのｎ−ペンタン酸とｎ−ヘキサン酸の混基エステル、ネオペンチルグリコールのｎ−ペンタン酸とｎ−ヘプタン酸の混基エステル、ネオペンチルグリコールのｎ−ペンタン酸とｎ−オクタン酸の混基エステル、ネオペンチルグリコールのｎ−ペンタン酸とｎ−ノナン酸の混基エステル、ネオペンチルグリコールのｎ−ペンタン酸とｎ−デカン酸の混基エステル、ネオペンチルグリコールのｎ−ヘキサン酸とｎ−ヘプタン酸の混基エステル、ネオペンチルグリコールのｎ−ヘキサン酸とｎ−オクタン酸の混基エステル、ネオペンチルグリコールのｎ−ヘキサン酸とｎ−ノナン酸の混基エステル、ネオペンチルグリコールのｎ−ヘキサン酸とｎ−デカン酸の混基エステル、ネオペンチルグリコールのｎ−ヘプタン酸とｎ−オクタン酸の混基エステル、ネオペンチルグリコールのｎ−ヘプタン酸とｎ−ノナン酸の混基エステル、ネオペンチルグリコールのｎ−オクタン酸とｎ−デカン酸の混基エステル、ネオペンチルグリコールのｎ−ノナン酸とｎ−デカン酸の混基エステルが挙げられる。
【００７９】
本発明の軸受用潤滑油に、併用基油として脂肪族二塩基酸エステル及び／又はポリオールエステルを併用する場合、その含有量としては、軸受用潤滑油に対して１０〜６０重量％が推奨され、特に２０〜６０重量％が好ましい。
【００８０】
本発明の軸受用潤滑油は、その性能を向上させるために、酸化防止剤、油性剤、摩耗防止剤、極圧剤、金属不活性剤、防錆剤、粘度指数向上剤、流動点降下剤、消泡剤等の添加剤の１種又は２種以上を適宜配合することも可能である。配合量は、所定の効果を奏する限り特に限定されるものではないが、その具体的な例を以下に示す。
【００８１】
酸化防止剤としては、２，６−ジ−ｔｅｒｔ−ブチル−ｐ−クレゾール、４，４’−メチレンビス−２，６−ジ−ｔｅｒｔ−ブチルフェノール等のフェノール系、Ｎ−フェニル−α−ナフチルアミン、ｐ，ｐ’−ジオクチルジフェニルアミン等のアミン系、フェノチアジン等の硫黄系化合物等が使用可能である。これらの酸化防止剤は、通常、軸受用潤滑油に対して０．０１〜５重量％、好ましくは０．０５〜３重量％添加するのがよい。
【００８２】
油性剤としては、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和及び不飽和モノアミン、ラウリン酸アミド、オレイン酸アミドなどの脂肪族飽和及び不飽和モノカルボン酸アミド等が使用可能である。これらの油性剤は、通常、軸受用潤滑油に対して０．０１重量％〜５重量％、好ましくは０．１重量％〜３重量％添加するのがよい。
【００８３】
摩耗防止剤・極圧剤としては、トリクレジルホスフェート、クレジルジフェニルホスフェート、アルキルフェニルホスフェート類、トリブチルホスフェート、ジブチルホスフェート等のりん酸エステル類、トリブチルホスファイト、ジブチルホスファイト、トリイソプロピルホスファイト等の亜りん酸エステル類及びこれらのアミン塩等のリン系、硫化油脂、硫化オレイン酸などの硫化脂肪酸、ジベンジルジスルフィド、硫化オレフィン、ジアルキルジスルフィドなどの硫黄系、Ｚｎ−ジアルキルジチオフォスフェート、Ｚｎ−ジアルキルジチオフォスフェート、Ｍｏ−ジアルキルジチオフォスフェート、Ｍｏ−ジアルキルジチオカルバメートなどの有機金属系化合物等が使用可能である。これらの摩耗防止剤は、通常、軸受用潤滑油に対して０．０１重量％〜１０重量％、好ましくは０．１重量％〜５重量％添加するのがよい。
【００８４】
金属不活性剤としては、ベンゾトリアゾール系、チアジアゾール系、没食子酸エステル系の化合物等が使用可能であり、これらの金属不活性剤は、通常、軸受用潤滑油に対して０．０１〜０．４重量％、好ましくは０．０１〜０．２重量％添加するのがよい。
【００８５】
防錆剤としては、ドデセニルコハク酸ハーフエステル、オクタデセニルコハク酸無水物、ドデセニルコハク酸アミドなどのアルキル又はアルケニルコハク酸誘導体、ソルビタンモノオレエート、グリセリンモノオレエート、ペンタエリスリトールモノオレエートなどの多価アルコール部分エステル、Ｃａ−石油スルフォネート、Ｃａ−アルキルベンゼンスルフォネート、Ｂａ−アルキルベンゼンスルフォネート、Ｍｇ−アルキルベンゼンスルフォネート、Ｎａ−アルキルベンゼンスルフォネート、Ｚｎ−アルキルベンゼンスルフォネート、Ｃａ−アルキルナフタレンスルフォネートなどの金属スルフォネート、ロジンアミン、Ｎ−オレイルザルコシンなどのアミン類、ジアルキルホスファイトアミン塩等が使用可能である。これらの防錆剤は、通常、軸受用潤滑油に対して０．０１重量％〜５重量％、好ましくは０．０５〜２重量％添加するのがよい。
【００８６】
粘度指数向上剤としては、ポリアルキルメタクリレート、ポリアルキルスチレン、ポリブテン、エチレン−プロピレン共重合体、スチレン−ジエン共重合体、スチレン−無水マレイン酸エステル共重合体などのオレフィン共重合体が使用可能であり、これらの粘度指数向上剤は、通常、軸受用潤滑油に対して０．１〜１５重量％、好ましくは０．５〜７重量％添加するのがよい。
【００８７】
流動点降下剤としては、塩素化パラフィンとアルキルナフタレンの縮合物、塩素化パラフィンとフェノールの縮合物、既述の粘度指数向上剤であるポリアルキルメタクリレート、ポリアルキルスチレン、ポリブテン等が使用可能であり、これらの流動点降下剤は、通常、軸受用潤滑油に対して０．０１〜５重量％、好ましくは０．１〜３重量％添加するのがよい。
【００８８】
消泡剤としては、液状シリコーンが適しており、通常、軸受用潤滑油に対して０．０００５〜０．０１重量％添加するのが良い。
【００８９】
本発明の軸受用潤滑油は、４０℃における動粘度が５〜６８ｍｍ２／ｓであることが好ましく、特に、４０℃における動粘度が５〜３２ｍｍ２／ｓであることが好ましい。更に、省電力性の点で４０℃における動粘度が５〜１５ｍｍ２／ｓであり、かつ、０℃における動粘度が１５〜６０ｍｍ２／ｓであることが好ましい。
【００９０】
本発明の軸受用潤滑油は、従来公知の軸受用潤滑油と比べて耐熱性が同等又はそれ以上であり、且つ、摩擦係数が低く潤滑性に優れる。
【００９１】
本発明の軸受用潤滑油は、各種の軸受装置に使用することが可能であり、好ましくは、焼結含油軸受、及び、流体軸受への使用に適する。
【００９２】
本発明の軸受用潤滑油は、種々の材質の軸受に使用することが可能である。具体的には、鉄系軸受、銅系軸受、鉛系軸受などが例示される。
【００９３】
【実施例】
以下に実施例を掲げて本発明を詳しく説明するが、本発明は実施例に限定されるものではない。また、各例における潤滑油の物理特性及び化学特性は以下の方法により評価した。
【００９４】
全酸価
ＪＩＳ−Ｋ−２５０１に準拠して測定した。
【００９５】
動粘度
ＪＩＳ−Ｋ−２２８３に準拠して、０℃、４０℃、１００℃における動粘度を測定した。
【００９６】
水酸基価
ＪＩＳ−Ｋ−００７０に準拠して測定した。
【００９７】
硫酸灰分
ＪＩＳ−Ｋ−２２７２に準拠して測定した。
【００９８】
ヨウ素価
基準油脂分析法３．３．３−１９９６に準拠して測定した。
【００９９】
低温流動性試験
ＪＩＳ−Ｋ−２２６９に準拠して流動点を測定した。
【０１００】
潤滑油の酸化安定性試験は、通常、酸化防止剤などの添加剤を加えて行われる。本軸受用潤滑油及び比較油も同一の添加剤を配合して酸化安定性試験を行った。
【０１０１】
耐熱性試験
実施例又は比較例の各々のエステルに対し、２，６−ジ−ｔｅｒｔ−ブチル−ｐ−クレゾール０．５重量％を添加溶解させて潤滑油（以下、この組成のものを「添加油」という）を調製した。次いで、内径５３mm、高さ５６mmのビーカーに上記添加油４０ｇを入れ、オーブン中１５０℃で２４時間加熱した。その後、添加油の揮発量［＝（試験前の重量−試験後の重量）／試験前の重量×１００］、４０℃における動粘度比（＝試験後の動粘度／試験前の動粘度）を測定した。揮発量が少なく、動粘度の変化が少ないものほど耐熱性に優れると判断した。
【０１０２】
潤滑性試験
曽田式振り子試験機（神鋼造機製）で８５℃における摩擦係数を測定した。
【０１０３】
製造例１
撹拌器、温度計、冷却管付き水分分留受器を備えた１リットルの四ツ口フラスコに２−エチルヘキサン酸２８８ｇ（２モル）、ｎ−ドデカノール４０９．２ｇ（２．２モル）、キシレン（酸及びアルコールの総量に対し５重量％）及び触媒としてテトライソプロピルチタネート（酸及びアルコールの総量に対し０．２重量％）を仕込み、減圧にて２００℃まで昇温した。理論的にできる水の量（３６ｇ）を目処にして生成した水を水分分留受器で除去しながらエステル化反応を約６時間行った。反応終了後、過剰のアルコールを蒸留で除去した。次いで、反応終了後の全酸価に対して過剰の苛性ソーダ水溶液で中和して、その後中性になるまで水洗した。次いで活性炭処理を行い、更に濾過をして２−エチルヘキサン酸ｎ−ドデシルを５７５ｇ得た。得られたエステルの全酸価、水酸基価、硫酸灰分、ヨウ素価を第１表に示す。
【０１０４】
0004951828.tif 000002
【０１０５】
製造例２
２−エチルヘキサン酸の代わりにｎ−ドデカン酸４００ｇ（２モル）、ｎ−ドデカノールの代わりに２−エチルヘキサノール２８６ｇ（２．２モル）を使用した以外は、製造例１と同様の方法により、ｎ−ドデカン酸２−エチルヘキシル５８８ｇを得た。得られたエステルの全酸価、水酸基価、硫酸灰分、ヨウ素価を第１表に示す。
【０１０６】
製造例３
２−エチルヘキサン酸の代わりにｎ−ドデカン酸４００ｇ（２モル）、ｎ−ドデカノールの代わりにイソトリデカノール（協和発酵工業製「トリデカノール」）４４０ｇ（２．２モル）を使用した以外は、製造例１と同様の方法により、ｎ−ドデカン酸イソトリデシル７４４ｇを得た。得られたエステルの全酸価、水酸基価、硫酸灰分、ヨウ素価を第１表に示す。
【０１０７】
製造例４
２−エチルヘキサン酸の代わりにｎ−テトラデカン酸４５６ｇ（２モル）、ｎ−ドデカノールの代わりに２−エチルエキサノール２８６ｇ（２．２モル）を使用した以外は、製造例１と同様の方法により、ｎ−テトラデカン酸２−エチルヘキシル６３９ｇを得た。得られたエステルの全酸価、水酸基価、硫酸灰分、ヨウ素価を第１表に示す。
【０１０８】
製造例５
２−エチルヘキサン酸の代わりにｎ−テトラデカン酸４５６ｇ（２モル）、ｎ−ドデカノールの代わりにイソノナノール（協和発酵工業製「オキソコール９００」）３１６．８ｇ（２．２モル）を使用した以外は、製造例１と同様の方法により、ｎ−テトラデカン酸イソノニル６６６ｇを得た。得られたエステルの全酸価、水酸基価、硫酸灰分、ヨウ素価を第１表に示す。
【０１０９】
製造例６
２−エチルヘキサン酸の代わりにｎ−ドデカン酸４００ｇ（２モル）、ｎ−ドデカノールの代わりにイソデカノール（協和発酵工業製「デカノール」）３４７．６ｇ（２．２モル）を使用した以外は、製造例１と同様の方法により、ｎ−ドデカン酸イソデシル６２５ｇを得た。得られたエステルの全酸価、水酸基価、硫酸灰分、ヨウ素価を第１表に示す。
【０１１０】
製造例７
２−エチルヘキサン酸の代わりにｎ−テトラデカン酸４５６ｇ（２モル）、ｎ−ドデカノールの代わりにイソデカノール（協和発酵工業製「デカノール」）３４７．６ｇ（２．２モル）を使用した以外は、製造例１と同様の方法により、ｎ−テトラデカン酸イソデシル６８４ｇを得た。得られたエステルの全酸価、水酸基価、硫酸灰分、ヨウ素価を第１表に示す。
【０１１１】
製造例８
製造例１で得られた２−エチルヘキサン酸ｎ−ドデシル及びセバシン酸ジ（２−エチルヘキシル）（新日本理化製「サンソサイザーＤＯＳ」）を５０：５０（重量比）で混合し、混合油１を得た。混合油１の全酸価を第１表に示す。
【０１１２】
製造例９
製造例２で得られたｎ−ドデカン酸２−エチルヘキシル及びアゼライン酸ジ（２−エチルヘキシル）（新日本理化製「サンソサイザーＤＯＺ」）を５０：５０（重量比）で混合し、混合油２を得た。混合油２の全酸価を第１表に示す。
【０１１３】
製造例１０
製造例４で得られたｎ−テトラデカン酸２−エチルヘキシル及びトリメチロールプロパン混合脂肪酸エステル（新日鐵化学製「ハトコール２９３７」）を６０：４０（重量比）で混合し、混合油３を得た。混合油３の全酸価を第１表に示す。
【０１１４】
製造例１１
製造例４で得られたｎ−テトラデカン酸２−エチルヘキシル及びセバシン酸ジ（２−エチルヘキシル）（新日本理化製「サンソサイザーＤＯＳ」）を７５：２５（重量比）で混合し、混合油４を得た。混合油４の全酸価を第１表に示す。
【０１１５】
製造例１２
製造例６で得られたｎ−ドデカン酸イソデシル及び製造例７で得られたｎ−テトラデカン酸イソデシルを５０：５０（重量比）で混合し、混合油５を得た。混合油５の全酸価を第１表に示す。
【０１１６】
製造例１３
製造例４で得られたｎ−テトラデカン酸２−エチルヘキシル、及び、ネオペンチルグリコールのｎ−オクタン酸とｎ−デカン酸の混基エステル（ネオペンチルグリコール１モルに対し、ｎ−オクタン酸１．４モル、ｎ−デカン酸０．６モルからなるエステル）を、２５：７５（重量比）で混合し、混合油６を得た。混合油６の全酸価を第１表に示す。
【０１１７】
製造例１４
製造例４で得られたｎ−テトラデカン酸２−エチルヘキシル、及び、ペンタエリスリトールのｎ−ペンタン酸とｎ−ヘプタン酸の混基エステル（ペンタエリスリトール１モルに対し、ｎ−ペンタン酸１．４モル、ｎ−ヘプタン酸２．６モルからなるエステル）を、８０：２０（重量比）で混合し、混合油７を得た。混合油７の全酸価を第１表に示す。
【０１１８】
製造比較例１
２−エチルヘキサン酸の代わりにｎ−オクタデカン酸５６８ｇ（２モル）、ｎ−ドデカノールの代わりに２−エチルヘキサノール２８６ｇ（２．２モル）を使用した以外は、製造例１と同様の方法により、ｎ−オクタデカン酸２−エチルヘキシル７２１ｇを得た。得られたエステルの全酸価、水酸基価、硫酸灰分、ヨウ素価を第１表に示す。
【０１１９】
実施例１
製造例１で得られた２−エチルヘキサン酸ｎ−ドデシルの動粘度を第１表に、低温流動性試験、耐熱性試験、潤滑性試験の結果を第２表に示す。
【０１２０】
0004951828.tif 000003
【０１２１】
実施例２
製造例２で得られたｎ−ドデカン酸２−エチルヘキシルの動粘度を第１表に、低温流動性試験、耐熱性試験、潤滑性試験の結果を第２表に示す。
【０１２２】
実施例３
製造例３で得られたｎ−ドデカン酸イソトリデシルの動粘度を第１表に、低温流動性試験、耐熱性試験、潤滑性試験の結果を第２表に示す。
【０１２３】
実施例４
製造例４で得られたｎ−テトラデカン酸２−エチルヘキシルの動粘度を第１表に、低温流動性試験、耐熱性試験、潤滑性試験の結果を第２表に示す。
【０１２４】
実施例５
製造例５で得られたｎ−テトラデカン酸イソノニルの動粘度を第１表に、低温流動性試験、耐熱性試験、潤滑性試験の結果を第２表に示す。
【０１２５】
実施例６
製造例６で得られたｎ−ドデカン酸イソデシルの動粘度を第１表に、低温流動性試験、耐熱性試験、潤滑性試験の結果を第２表に示す。
【０１２６】
実施例７
製造例７で得られたｎ−テトラデカン酸イソデシルの動粘度を第１表に、低温流動性試験、耐熱性試験、潤滑性試験の結果を第２表に示す。
【０１２７】
実施例８
製造例８で得られた混合油１の動粘度を第１表に、低温流動性試験、耐熱性試験、潤滑性試験の結果を第２表に示す。
【０１２８】
実施例９
製造例９で得られた混合油２の動粘度を第１表に、低温流動性試験、耐熱性試験、潤滑性試験の結果を第２表に示す。
【０１２９】
実施例１０
製造例１０で得られた混合油３の動粘度を第１表に、低温流動性試験、耐熱性試験、潤滑性試験の結果を第２表に示す。
【０１３０】
実施例１１
製造例１１で得られた混合油４の動粘度を第１表に、低温流動性試験、耐熱性試験、潤滑性試験の結果を第２表に示す。
【０１３１】
実施例１２
製造例１２で得られた混合油５の動粘度を第１表に、低温流動性試験、耐熱性試験、潤滑性試験の結果を第２表に示す。
【０１３２】
実施例１３
製造例１３で得られた混合油６の動粘度を第１表に、低温流動性試験、耐熱性試験、潤滑性試験の結果を第２表に示す。
【０１３３】
実施例１４
製造例１４で得られた混合油７の動粘度を第１表に、低温流動性試験、耐熱性試験、潤滑性試験の結果を第２表に示す。
【０１３４】
比較例１
ドデカン酸メチル［試薬「ラウリン酸メチル」（ナカライテスク製品）、４０℃の動粘度が２．４ｍｍ２／ｓ、１００℃の動粘度が１．１ｍｍ２／ｓ、全酸価＝０．０４mgKOH/g］の低温流動性試験、耐熱性試験、潤滑性試験を行った。結果を第２表に示す。なお、耐熱性試験において、揮発量が大きいため、試験後の動粘度は測定できなかった。
【０１３５】
比較例２
製造比較例１で得られたｎ−オクタデカン酸２−エチルヘキシルの動粘度を第１表に、低温流動性試験、耐熱性試験、潤滑性試験の結果を第２表に示す。
【０１３６】
比較例３
オレイン酸メチル［試薬「オレイン酸メチル」（ナカライテスク製品）、４０℃の動粘度が４．３ｍｍ２／ｓ、１００℃の動粘度が１．７ｍｍ２／ｓ、全酸価＝０．０６mgKOH/g］の低温流動性試験、耐熱性試験、潤滑性試験を行った。結果を第２表に示す。
【０１３７】
比較例４
ポリ−α−オレフィン（モービル製「ＳＨＦ−２０」、４０℃の動粘度が５．２ｍｍ２／ｓ、１００℃の動粘度が１．７ｍｍ２／ｓ、全酸価＝０．０１mgKOH/g）の低温流動性試験、耐熱性試験、潤滑性試験を行った。結果を第２表に示す。
【０１３８】
本発明の軸受用潤滑油は、第１表で明らかなように、広い温度範囲で低粘度であり、且つ、第２表より明らかなように、揮発量が少なく、動粘度の変化もみられず耐熱性に優れる。又、摩擦係数が低いため潤滑性に優れることがわかる。一方、本エステルよりアルコール成分の炭素数が少ない脂肪族モノカルボン酸エステルを含有する潤滑油は耐揮発性に乏しく、本エステルより酸成分の炭素数が多い脂肪族モノカルボン酸エステルは低温での流動性に乏しい。又、本エステルと動粘度が類似した炭化水素油は耐揮発性に劣り、動粘度の変化が大きく、更には、高い摩擦係数を示し潤滑性に劣る。
【０１３９】
【発明の効果】
本発明の軸受用潤滑油は耐熱性、潤滑性に優れ、かつ、広範囲の温度において低粘度であるため省電力性に優れた潤滑油となる。